(57)【要約】【課題】      糸噛みの防止が図れると共に糸噛みが発生しても釣糸の解し作業を容易に行えて傷付が防止出来る魚釣用リ−ルを提供することである。【解決手段】  リ−ル本体１の側枠１ａ、１ｂのスプ−ルカバ−１ｄ、１ｅの内側に夫々スプ−ル挿入口１ｆ、１ｇが形成されている。  スプ−ル２には左右のフランジ部２ｄ、２ｅから夫々外側に外周を軸方向に同径に延出する突出円筒部２ｆ、２ｇと、左右のフランジ部２ｄ、２ｅ外周に形成された環状の凹溝２ｈ、２ｉとが形成されている。  環状の凹溝２ｈ、２ｉ内には断面略円形状でかつ環状のＯリングからなる弾性部材２３、２４が着脱可能に装着され、弾性部材２３、２４の凹溝２ｈ、２ｉに装着された外径はスプ−ル挿入口１ｆ、１ｇの内径より大径になるように構成されている。【選択図】        図２
2006223213.tif 000002
【特許請求の範囲】
【請求項１】
リ−ル本体の側板間に回転自在に支持されたスプ−ルを、一方の側板に支持されたハンドルの操作で巻き取り駆動する魚釣用リ−ルにおいて、前記スプ−ルのフランジ部外周に前記リ−ル本体のスプ−ル挿入口の内周径より大径となるように環状の弾性部材を着脱可能に装着したことを特徴とする魚釣用リ−ル。
【請求項２】
前記スプ−ルのフランジ部外周を軸方向に同径に延出する円筒状に形成し、前記環状の弾性部材が軸方向に着脱可能に装着されていることを特徴とする請求項１に記載の魚釣用リ−ル。
【請求項３】
前記環状の弾性部材が着脱可能に装着される前記スプ−ルのフランジ部の端部は、前記リ−ル本体のスプ−ル挿入口に軸方向に挿入する突出円筒部がないことを特徴とする請求項１に記載の魚釣用リ−ル。
【請求項４】
前記環状の弾性部材の形状が、断面略円形状であることを特徴とする請求項１から３の何れかに記載の魚釣用リ−ル。
【発明の詳細な説明】
【技術分野】
【０００１】
本発明は、リ−ル本体の側板間に釣糸が巻回されるスプ−ルを回転自在に支持した魚釣用リ−ルの改良に関する。
【背景技術】
【０００２】
従来、魚釣用両軸受型リ−ルにおいては、釣糸の放出操作時又は釣糸の巻き取り操作時、特に、釣糸放出の際のスプ−ルの過剰回転による釣糸の緩みによって、釣糸がスプ−ル巻着面より浮き上がってスプ−ルフランジ外周とリ−ル本体のフレ−ム内周との間隙に巻き込まれてスプ−ルが回転しなくなったり、釣糸に傷が付いて糸切れし易くなったり、等の糸噛み現象が発生し易い。
そこで、スプ−ルフランジ外周に、リ−ル本体のフレ−ム内周縁を被覆するように径方向外方に突出する環状の突条を一体的に形成して、スプ−ルフランジ外周とフレ−ム内周縁との間に釣糸が巻き込まれないようにしたものが、特許文献１で知られている。
【特許文献１】実開昭５５−１５１１７８号公報
【発明の開示】
【発明が解決しようとする課題】
【０００３】
解決しようとする問題点は、特許文献１は、スプ−ルフランジ外周に突条を一体的（一体形成又は嵌着固定）に設ける構成のため、スプ−ルフランジ外周の嵌挿穴を両側に形成した一体フレ−ムへの組み込みが行えないと共に、スプ−ルがあまり高速回転しない状況等糸噛み防止が必要でない釣法に使用出来ない。
又、状況によって糸噛みが発生した場合には、釣糸の解し作業を容易に行えない等の課題が残されている。
【０００４】
本発明の目的は前記欠点に鑑み、糸噛みの防止が図れると共に糸噛みが発生しても釣糸の解し作業を容易に行えて傷付が防止出来る魚釣用リ−ルを提供することである。
【課題を解決するための手段】
【０００５】
本発明の請求項１は、リ−ル本体の側板間に回転自在に支持されたスプ−ルを、一方の側板に支持されたハンドルの操作で巻き取り駆動する魚釣用リ−ルにおいて、前記スプ−ルのフランジ部外周に前記リ−ル本体のスプ−ル挿入口の内周径より大径となるように環状の弾性部材を着脱可能に装着したことを要旨とするものである。
本発明の請求項２は、前記スプ−ルのフランジ部外周を軸方向に同径に延出する円筒状に形成し、前記環状の弾性部材が軸方向に着脱可能に装着されていることを要旨とするものである。
本発明の請求項３は、前記環状の弾性部材が着脱可能に装着される前記スプ−ルのフランジ部の端部は、前記リ−ル本体のスプ−ル挿入口に軸方向に挿入する突出円筒部がないことを要旨とするものである。
本発明の請求項４は、前記環状の弾性部材の形状が、断面略円形状であることを要旨とするものである。
【発明の効果】
【０００６】
本発明の請求項１によれば、リ−ル本体の一体フレ−ムへの組み込みを可能としながら釣糸の噛み込みを確実に防止できる。
又、スプ−ルが過回転しない釣法にも容易に弾性部材を取り外して適用できる。
本発明の請求項２によれば、請求項１に加えて更に、状況によって糸噛みが発生した場合には、フランジ部外周に巻着した弾性部材を軸方向に変位することにより、釣糸の解し作業を容易に行える。
本発明の請求項３によれば、請求項１に加えて更に、フランジ部外周の軸方向形状が短縮化して軽量化されるので、慣性モ−メントが抑えられてキャスティング性能が向上する。
本発明の請求項４によれば、釣糸に優しくてダメ−ジを与えることなく、しかもフランジ部外周からの着脱も容易に行える。
【発明を実施するための最良の形態】
【０００７】
リ−ル本体１の側枠１ａ側のスプ−ルカバ−１ｄの内側には側枠１ａを突き抜ける透孔からなるスプ−ル挿入口１ｆが形成されている。
リ−ル本体１の側枠１ｂ側のスプ−ルカバ−１ｅの内側には側枠１ｂを突き抜けないスプ−ル挿入口１ｇが形成されている。
スプ−ル２には左右のフランジ部２ｄ、２ｅから夫々外側に外周を軸方向に同径に延出する突出円筒部２ｆ、２ｇと、左右のフランジ部２ｄ、２ｅ外周に形成された環状の凹溝２ｈ、２ｉとが形成されている。
環状の凹溝２ｈ、２ｉ内には断面略円形状でかつ環状のＯリングからなる弾性部材２３、２４が着脱可能に装着され、弾性部材２３、２４の凹溝２ｈ、２ｉに装着した外径はスプ−ル挿入口１ｆ、１ｇの内径より大径になるように構成されている。
【実施例１】
【０００８】
以下、図示の実施例によって本発明を説明すると、図１、図２は第１実施例で、図１は魚釣用リ−ルの要部断面背面図、図２は魚釣用リ−ルの要部拡大断面背面図である。
【０００９】
魚釣用リ−ルを魚釣用両軸受型リ−ルで述べると、リ−ル本体１の両側枠１ａ、１ｂに夫々左側側板１０と右側側板１１が図示しないビスで取り付けられ、両側枠１ａ、１ｂは図示しない支柱とリ−ル脚１２の固定板１ｃで並行で一体的に保持され、両側枠１ａ、１ｂ間にスプ−ル２がスプ−ル軸３に固定されている。
両側枠１ａ、１ｂの対向する内側にはスプ−ルカバ−１ｄ、１ｅが形成されている。
側枠１ａ側のスプ−ルカバ−１ｄの内側には側枠１ａを突き抜ける透孔からなるスプ−ル挿入口１ｆが形成されている。
側枠１ｂ側のスプ−ルカバ−１ｅの内側には側枠１ｂを突き抜けないスプ−ル挿入口１ｇが形成されている。
スプ−ルカバ−１ｅの内側には筒部１ｈが形成されている。
側枠１ａ側の側枠１ａを突き抜ける透孔からなるスプ−ル挿入口１ｆには外側から軸受支持部材４の円板部４ａの外周嵌合部が嵌合されて鍔部４ｂが側枠１ａに図示しないビスで取り付けられている。
軸受支持部材４の円板部４ａの内側には筒部４ｃが形成されて筒部４ｃ内にころがり軸受１３とスラスト軸受１４が保持されている。
円板部４ａの内側には大径の筒部４ｄが形成されている。
側枠１ｂの内側には二段の筒部１ｉ、１ｊが形成されて大小のころがり軸受１５、１６が保持されている。
【００１０】
スプ−ル軸３はころがり軸受１３に軸承される小径部３ａとスプ−ル２が固定される太径部３ｂと、ころがり軸受１５に軸承されるピニオン５側に突出された小径の外方延出端部３ｃとで形成され、外方延出端部３ｃの端部に押圧軸杆１７の一側が当接されている。
小径の外方延出端部３ｃにクラッチ機構を構成する係合部３ｄが形成されている。
ころがり軸受１５にはピニオン５の軸筒５ａが嵌合され、軸筒５ａの内周には外方延出端部３ｃが嵌合され、係合部３ｄ位置の軸筒５ａ内にクラッチ機構を構成する係合凹部５ｂが形成されている。
ピニオン５の中心孔に押圧軸杆１７が軸方向に移動可能に嵌合されている。
ピニオン５の軸筒５ａ外周には周溝が形成されて作動板１８が嵌められ、作動板１８はクラッチ操作レバ−１９で操作されて係合部３ｄと係合凹部５ｂが係合・離脱される。
ピニオン５には駆動軸２０に摩擦結合された駆動歯車２１が噛合され、係合部３ｄと係合凹部５ｂが係合状態の時駆動軸２０に取り付けられたハンドル２２でピニオン５を介してスプ−ル軸３とスプ−ル２が回転される。
【００１１】
スプ−ル２はスプ−ル軸３の太径部３ｂに嵌合固定される筒部２ａと、縦壁２ｂと、釣糸が巻回される釣糸巻回胴部２ｃと、左右のフランジ部２ｄ、２ｅと、左右のフランジ部２ｄ、２ｅから夫々外側に外周を軸方向に同径に延出する突出円筒部２ｆ、２ｇと、左右のフランジ部２ｄ、２ｅ外周に形成された環状の凹溝２ｈ、２ｉとで形成されている。
環状の凹溝２ｈ、２ｉ内には断面略円形状でかつ環状のＯリングからなる弾性部材２３、２４が着脱可能に装着されている。
断面略円形状でかつ環状のＯリングからなる弾性部材２３、２４の凹溝２ｈ、２ｉに装着した外径はスプ−ル挿入口１ｆ、１ｇの内径より大径になるように構成されている。
スプ−ル挿入口１ｆからスプ−ル２が挿入されて突出円筒部２ｇがスプ−ル挿入口１ｇ内に、突出円筒部２ｆがスプ−ル挿入口１ｆ内に対応される。
【００１２】
スプ−ル挿入口１ｆからスプ−ル２が挿入される時、断面略円形状でかつ環状のＯリングからなる弾性部材２３、２４の外径はスプ−ル挿入口１ｆの内径より大径に構成されているので、弾性部材２３、２４を夫々釣糸巻回胴部２ｃ側に落し込んで挿入後、環状の凹溝２ｈ、２ｉに装着するとよい。
環状のＯリングからなる弾性部材２３はリ−ル本体１の側枠１ａのスプ−ルカバ−１ｄと非接触状態で配置されている。
環状のＯリングからなる弾性部材２４はリ−ル本体１の側枠１ｂのスプ−ルカバ−１ｅと非接触状態で配置されている。
スプ−ル２が交換等で引き抜かれる時は、側枠１ａのスプ−ル挿入口１ｆから軸受支持部材４の円板部４ａの外周嵌合部が取り外されて、このスプ−ル挿入口１ｆからスプ−ル２が引き抜かれる。
【００１３】
魚釣用両軸受型リ−ルの動作は、スプ−ル軸３の係合部３ｄとピニオン５の係合凹部５ｂが係合されたクラッチＯＮ状態で、スプ−ル２に図示しない釣糸が巻回される方向にハンドル２０が回転されると、駆動軸２０と駆動歯車２１とピニオン５とスプ−ル軸３とスプ−ル２が正回転される。
【００１４】
前記のように魚釣用両軸受型リ−ルが構成されると、リ−ル本体の一体フレ−ムへの組み込みを可能としながら釣糸の噛み込みを確実に防止できる。
又、スプ−ルが過回転しない釣法にも容易に弾性部材２３、２４を取り外して適用できる。
状況によって糸噛みが発生した場合には、フランジ部外周に巻着した弾性部材２３、２４を軸方向に指で変位することにより、釣糸の解し作業を容易に行える。
又、弾性部材を丸みのある形状のＯリングを使用することにより釣糸に優しくてダメ−ジを与えることなく、しかもフランジ部外周からの着脱も容易に行える。
【実施例２】
【００１５】
図３は第２実施例で、図３は魚釣用リ−ルの要部拡大断面背面図である。
【００１６】
第２実施例では、側枠１ａ側のスプ−ルカバ−１ｄの内側には側枠１ａを突き抜ける透孔からなるスプ−ル挿入口１ｆが形成されている。
側枠１ｂ側のスプ−ルカバ−１ｅの内側には側枠１ｂを突き抜けないスプ−ル挿入口１ｇが形成されている。
スプ−ル２の左右のフランジ部２ｄ、２ｅには夫々外側に外周を軸方向に同径に延出する突出円筒部が設けられてなく、端部２ｊ、２ｋは夫々スプ−ルカバ−１ｄ、１ｅの内周に少々潜り込む程度のリング状に形成され、左右のフランジ部２ｄ、２ｅ外周に環状の凹溝２ｈ、２ｉが形成されている。
環状の凹溝２ｈ、２ｉ内には断面略円形状でかつ環状のＯリングからなる弾性部材２３、２４が着脱可能に装着されている。
断面略円形状でかつ環状のＯリングからなる弾性部材２３、２４の凹溝２ｈ、２ｉに装着された外径はスプ−ル挿入口１ｆ、１ｇの内径より大径になるように構成されている。
他の構成は前記第１実施例と略同一である。
【００１７】
前記のように魚釣用両軸受型リ−ルが構成されると、フランジ部外周の軸方向形状が短縮化して軽量化されるので、慣性モ−メントが抑えられてキャスティング性能が向上する。
【産業上の利用可能性】
【００１８】
前記説明では、魚釣用リ−ルを魚釣用両軸受型リ−ルで述べたが、他の形式の魚釣用片軸受型リ−ルに実施してもよい。
【図面の簡単な説明】
【００１９】
【図１】第１実施例で、魚釣用リ−ルの要部断面背面図である。
【図２】同魚釣用リ−ルの要部拡大断面背面図である。
【図３】第２実施例で、魚釣用リ−ルの要部拡大断面背面図である。
【符号の説明】
【００２０】
１  リ−ル本体
１ｆ、１ｇ  スプ−ル挿入口
２ｈ、２ｉ  環状の凹溝
２  スプ−ル
２ｄ、２ｅ  フランジ部
２ｆ、２ｇ  突出円筒部
２ｊ、２ｋ  端部
２０  ハンドル
２３、２４  Ｏリングからなる弾性部材
【図１】
2006223213.tif 000003
【図２】
2006223213.tif 000004
【図３】
2006223213.tif 000005